(57)【要約】  【課題】明るい屋外であっても、簡便な構造で、しかも熟練を要することなく、簡単かつ短時間でレベルを精度よく計測することができるレーザ光によるレベル測量用標尺を提供する。  【解決手段】高さ寸法目盛りが付された標尺本体２と、この標尺本体２にスライド自在に取り付けられるホルダ３と、このホルダ３の端部に該ホルダ側を向くように所定角度をなして取り付けられたミラー４とを備え、標尺本体２及びホルダ３はレーザ光を透過可能であって、かつ、いずれか一方は透過レーザ光を乱反射するものからなることを特徴とする。  【選択図】  図１
2006184050.tif 000002
【特許請求の範囲】
【請求項１】
高さ寸法目盛りが付された標尺本体と、
この標尺本体に該標尺本体側を向くように所定角度をなして取り付けられたミラーとを備え、
前記標尺本体はレーザ光を透過可能であって、かつ、透過レーザ光を乱反射するものからなることを特徴とするレーザ光によるレベル測量用標尺。
【請求項２】
前記標尺本体にその長さ方向にスライド自在に取り付けられたホルダを備え、
このホルダに前記ミラーが取り付けられていることを特徴とする請求項１記載のレベル測量用標尺。
【請求項３】
前記ホルダはレーザ光を透過可能な方形のものからなり、前記ミラーは前記ホルダの下端部に取り付けられていることを特徴とする請求項２記載のレーザ光によるレベル測量用標尺。
【請求項４】
前記ホルダはレーザ光を透過可能な方形のものからなり、前記ミラーは前記ホルダの側端部に取り付けられていることを特徴とする請求項２記載のレーザ光によるレベル測量用標尺。
【請求項５】
前記ミラーは前記ホルダに回動自在に取り付けられていることを特徴とする請求項１〜４のいずれか１記載のレーザ光によるレベル測量用標尺。
【請求項６】
高さ寸法目盛りが付された標尺本体と、
この標尺本体にその長さ方向にスライド自在に取り付けられた方形のホルダと、
このホルダに該ホルダ側を向くように所定角度をなして取り付けられたミラーとを備え、
前記標尺本体及び前記ホルダはレーザ光を透過可能であって、かつ、前記ホルダは透過レーザ光を乱反射するものからなることを特徴とするレーザ光によるレベル測量用標尺。
【発明の詳細な説明】
【技術分野】
【０００１】
この発明は、レーザ光によるレベル測量用標尺に関し、さらに詳細には、建築現場等において水平を出すために行われる可視レーザ光によるレベル測量に用いる標尺に関する。
【背景技術】
【０００２】
例えば、建築現場では基礎コンクリートを打設した後、その天端の水平を確認するためにレベル測量が行われている。古くから行われているレベル測量の方法は、望遠鏡を備えたレベル測量機と標尺を使用するものである。この場合、レベル測量機を扱う者と、標尺を扱う者との少なくとも二人の作業者が必要である。
【０００３】
近年、墨出し用を主用途としたレーザ照射器が開発され、建築現場では広く使用されるようになっている。このレーザ照射器によれば壁などに可視レーザ光を照射して、同一レベル位置を即座にマーキングすることができる。
【０００４】
上記基礎天端の水平確認作業のために、このレーザ照射器を使用したレベル測量も行われている。この方法によれば、レーザ照射器は適宜位置に定置しておけばよいので、作業者は標尺を扱う者一人で済む。しかし、このレベル測量は太陽光の下、屋外で行われるのが通常であり、標尺にレーザ光を照射してもこれを目視することは困難である。このため、一般には、専用のレシーバ（受光器、例えば特許文献１，２参照）を併用している。
【０００５】
すなわち、標尺を持った作業者がレシーバを標尺に沿って下降させ、レシーバがレーザ光を感知したレベルを標尺から読みとる方法である。しかしながら、この方法は、レーザ光が目視できないため、作業者はゆっくりとレシーバを下降させなければならず、また、うっかり下降させすぎてしまった場合などは上方位置から再度下降させなければならない。
【０００６】
このようなことから、レシーバによる方法は手間と時間を要し、慣れるまでは熟練が必要である。また、レシーバには傾きをチェックするための気泡装置が付いているものの、作業者は通常はいちいち確認しない傾向にある。このため、標尺が前後あるいは左右に傾いていた場合、レーザ照射器自体の誤差と相まって測定誤差が大きなものなってしまうという問題がある。また、作業者は、通常、立った姿勢で測定を行い、測定点から高いレベル（約１．４ｍ）で計測値を読み取るため、傾きによる誤差はさらに大きくなる。
【特許文献１】実開平３−９３７２０号公報
【特許文献２】特開平７−４３１５５号公報
【発明の開示】
【発明が解決しようとする課題】
【０００７】
この発明は上記のような技術的背景に基づいてなされたものであって、次の目的を達成するものである。
この発明の目的は、簡便な構造で、しかも熟練を要することなく、簡単かつ短時間でレベルを精度よく計測することができるレーザ光によるレベル測量用標尺を提供することにある。
【課題を解決するための手段】
【０００８】
この発明は上記課題を達成するために、次のような手段を採用している。
すなわち、この発明は、高さ寸法目盛りが付された標尺本体と、
この標尺本体に該標尺本体側を向くように所定角度をなして取り付けられたミラーとを備え、
前記標尺本体はレーザ光を透過可能であって、かつ、透過レーザ光を乱反射するものからなることを特徴とするレーザ光によるレベル測量用標尺にある。
【０００９】
より具体的には、前記標尺本体にその長さ方向にスライド自在に取り付けられたホルダを備え、このホルダに前記ミラーが取り付けられている。前記ホルダはレーザ光を透過可能な方形のものからなり、前記ミラーは前記ホルダの下端部に取り付けられている。前記ホルダはレーザ光を透過可能な方形のものからなり、前記ミラーは前記ホルダの側端部に取り付けられている構造とすることもできる。また、前記ミラーは前記ホルダに回動自在に取り付けられている。
【００１０】
レーザ光はホルダで乱反射させるようにしてもよく、この場合、この発明は次のように特定される。
すなわち、この発明は、高さ寸法目盛りが付された標尺本体と、
この標尺本体にその長さ方向にスライド自在に取り付けられた方形のホルダと、
このホルダに該ホルダ側を向くように所定角度をなして取り付けられたミラーとを備え、
前記標尺本体及び前記ホルダはレーザ光を透過可能であって、かつ、前記ホルダは透過レーザ光を乱反射するものからなることを特徴とするレーザ光によるレベル測量用標尺にある。
【発明の効果】
【００１１】
この発明によれば、例えば太陽光の下であっても、標尺本体（又はホルダ）に入射したレーザ光が乱反射してミラーに高さ寸法目盛りとともに写し出される。したがって、作業者は熟練を要することなく、簡単かつ短時間でレベルを精度よく計測することができる。また、構造が極めて簡便で、低コストで製作することができる。
【発明を実施するための最良の形態】
【００１２】
この発明の実施形態を図面を参照しながら以下に説明する。図１及び図２は、この発明の実施形態を示し、図１（ａ），（ｂ）はそれぞれ正面図及び側面図、図２は図１（ｂ）のＡ−Ａ線矢視断面図である。標尺１は、長尺の矩形板からなる標尺本体（メジャー）２と、ホルダ３と、ミラー４とからなっている。
【００１３】
標尺本体２はアクリル樹脂などの可視レーザ光を透過可能なものからなり、高さ寸法目盛り（目盛り数値は図示省略、目盛り線のみ示す）が付されている。ホルダ３は方形枠状のもので前後面に開口する窓１０を有し、上下には標尺本体２を嵌合するための嵌合穴５が設けられている（図２参照）。ホルダ３は標尺本体２に嵌合されることにより、標尺本体２に対してスライド自在となっている。
【００１４】
標尺本体２には、後述するように、前面（ミラー４と反対側の面）の窓１０を通して可視レーザ光が照射され、このレーザ光を乱反射させるべく標尺本体２の前面はシボ加工などの表面処理が施されている。これにより、標尺本体２はくもりガラス状のものとなっている。この表面処理は標尺本体２の前面のみでよいが、後面あるいは両方に施してもよい。なお、標尺本体２は少なくとも目盛り寸法が付される範囲が可視レーザ光を透過し、かつ乱反射する構造とすればよく、長さ方向全体に亘ってそのような構造にする必要はない。
【００１５】
ミラー４は平面鏡であり、取付けプレート６に担持されている。取付けプレート６はピン７を介してホルダ３の下端部に鉛直方向に回動可能に取り付けられ、ミラー４がホルダ３側を向いて所定角度をなす位置（図示の実施形態では略４５度）で止まるようになっている。この結果、図２に示すように、ミラー４にはホルダ３の後面の窓１０を通して標尺本体２に付された高さ寸法目盛りが写し出される。
【００１６】
図３は、上記標尺１とレーザ照射器とを使用したレベル測量の一例を示している。レーザ照射器８は低出力の可視光半導体レーザを発生する光源をもち、水平又は垂直ライン状にレーザ光を出射することができる装置である。このレーザ照射器８は、建築現場などにおいて墨出しに多用されている。
【００１７】
図３に示す例は、建築現場における基礎コンクリートの天端９の水平を確認するためのレベル測量である。この測量は、屋外作業であり、特に太陽光があるときは、レーザ照射器から出射されたレーザ光を目視することは困難である。
【００１８】
測量作業は次のようにして行われる。すなわち、基礎天端９の適宜位置にレーザ照射器８を水平となるように定置し、レベルを計測すべき位置の方向に向けてレーザ光を出射させる。作業者は計測すべき位置で標尺本体２を立て、これにレーザ光を照射する。そして、ホルダ３をレーザ光の水平ラインがミラー４に写し出される位置までスライドさせる。このとき、標尺本体２は入射したレーザ光を乱反射するので、作業者は太陽光の下でもレーザ光の水平ラインを容易に視認することができる。
【００１９】
図４は、レーザ光の水平ラインＬが標尺本体２の高さ寸法目盛りとともにミラー４に写し出された様子を示している。作業者は水平ラインＬと一致する寸法目盛りをミラー４の上方で読み取り、このような作業を基礎天端９の所要位置で繰り返す。
【００２０】
ここで、標尺本体２が垂直に立っている場合、ミラー４に写し出されるレーザ光の水平ラインＬが図４（ａ）のようになったとする。標尺本体２が前後に傾いている場合には（図３に鎖線で誇張して示す）、レーザ光の水平ラインＬと一致する寸法目盛り値は、前後いずれの傾きの場合も、図４（ｂ）に示すように、標尺本体２が図４（ａ）の垂直の場合よりも大きくなる。したがって、標尺本体２を前後に微少角度回動させて、寸法目盛りの最小値を読み取ることにより容易に正確なレベル値を計測することができる。
【００２１】
また、標尺本体２が左右に傾いている場合には、ミラー４に写し出されるレーザ光の水平ラインＬは、図４（ｃ）に示すように、寸法目盛り線と非平行になる。この場合も、水平ラインＬが寸法目盛り線と平行になるように、標尺本体２を修正して、正確なレベル値を計測することができる。
【００２２】
レーザ光は標尺本体２で乱反射するので、仮にミラー４を設けなくとも、作業者はその高さ位置付近に目をもってゆくことにより、レーザ光と一致した寸法目盛りを読み取ることができる。しかし、作業者は低い高さ位置に合わせた姿勢をとらなければならず、労力が大きい。他方、レーザ照射器８を高い位置に定置して出射レーザ光の光軸の高さレベルを高くすると、標尺本体２の前後の傾きによる誤差は大きくなってしまう（図３参照）。このようなことから、出射レーザ光の光軸の高さレベルを低くし（約１８ｃｍ程度）、ミラー４を鉛直方向に目視して寸法目盛りを読み取ることにより、作業者は立ったままの（幾分か中腰になるが）楽な姿勢で精度の良い計測を行うことができる。
【００２３】
なお、上記の例は、水平度を計測するための測量であるが、この発明の標尺によって壁などの垂直度を計測することもできる。この場合、標尺本体２の先端を壁面に水平に当接させ、レーザ照射器からは垂直ラインとなるレーザ光を出射させる。
【００２４】
図５は、別の実施形態を示す断面図である。この実施形態は、ミラー４をホルダ３の側端部に取り付けた例である。すなわち、ミラー４はホルダ３に対して水平方向に回動自在となっている。その他の構成は、前記実施形態と同様である。この実施形態のものは、例えば、出射されるレーザ光の光軸上に障害物があって、それを避けるために光軸を障害物よりも上方とせざるを得ない場合に有効である。この場合、作業者はミラー４の高さ位置付近に目をもってゆき、ミラー４を水平方向に目視することになる。
【００２５】
図６は、さらに別の実施形態を示す斜視図である。この実施形態は、ホルダ３に互いに直交する２つの嵌合穴５ａ，５ｂを設けた例である。鉛直方向にミラー４を目視してレベルを計測する場合には、標尺本体２は嵌合穴５ａに嵌合される。また、水平方向にミラー４を目視してレベルを計測する場合には、標尺本体２は嵌合穴５ｂに嵌合される。すなわち、この実施形態のものによれば、１つのホルダで鉛直方向目視及び水平方向目視いずれの場合にも適用することが可能となる。
【００２６】
上記実施形態は例示にすぎず、この発明は種々の態様を採ることができる。例えば、上記実施形態では、レーザ光を標尺本体２で乱反射させたが、ホルダ３で乱反射させるようにしてもよい。この場合、ホルダ３の窓１０に一眼レフカメラで使用されているようなスクリーンを設けて、レーザ光を乱反射させることができる。あるいは、ホルダ３に窓を形成することなく、ホルダ３をアクリル樹脂等のレーザ光を透過可能な材料で作り、表面にシボ加工を施すようにしてもよい。レーザ光を乱反射させる手段は、その他多くの周知手段から選択採用することができる。また、ミラーは鏡面処理された金属板を用いることができ、この場合、取付けプレートを介することなく直接ホルダに取り付けることができる。
【図面の簡単な説明】
【００２７】
【図１】この発明の実施形態を示し、（ａ），（ｂ）はそれぞれ正面図及び側面図である。
【図２】図１（ｂ）のＡ−Ａ線矢視断面図である。
【図３】この発明による標尺を使用したレベル測量の一例を示す図である。
【図４】ミラーに写し出された高さ寸法目盛り及びレーザ光を示す図である。
【図５】別の実施形態を示す断面図である。
【図６】さらに別の実施形態を示す断面図である。
【符号の説明】
【００２８】
１      標尺
２      標尺本体
３      ホルダ
４      ミラー
５      嵌合穴
６      取付けプレート
７      ピン
８      レーザ照射器
【図１】
2006184050.tif 000003
【図２】
2006184050.tif 000004
【図３】
2006184050.tif 000005
【図４】
2006184050.tif 000006
【図５】
2006184050.tif 000007
【図６】
2006184050.tif 000008